(57)【特許請求の範囲】
【請求項１】
照明光を発する発光体と、
前記照明光を用いて撮影を行う際に、予備発光時における被写体からの反射光量に基づいて前記撮影時の照明光の発光量を制御する発光量制御手段と、
外光の色情報に基づいて、前記予備発光時の照明光の色温度を制御する色温度制御手段とを備えることを特徴とするカメラ。
【請求項２】
請求項１に記載のカメラにおいて、
前記色温度制御手段はさらに、前記予備発光時の色温度と合わせるように前記撮影時の照明光の色温度を制御することを特徴とするカメラ。
【請求項３】
請求項１または請求項２に記載のカメラにおいて、
前記色温度制御手段は、照明光の色温度を手動設定するマニュアル設定モードに設定されているときには、前記予備発光時の照明光の色温度を、前記手動設定された色温度に制御することを特徴とするカメラ。
【請求項４】
照明光を発する発光体、および前記照明光の色温度を制御する色温度制御手段を有する照明装置と、
前記照明光を用いて撮影を行う際に、予備発光時における被写体からの反射光量に基づいて前記撮影時の照明光の発光量を演算する第１演算手段、外光の色情報に基づいて、前記予備発光時の照明光の色温度を演算する第２演算手段、および前記第１演算手段および前記第２演算手段による演算結果を前記照明装置へ送信する送信手段を有するカメラとを備えることを特徴とするカメラシステム。
【請求項５】
請求項４に記載のカメラシステムにおいて、
前記照明装置は、前記予備発光時の照明光の色温度を前記カメラから送信された色温度に制御することを特徴とするカメラシステム。
【請求項６】
請求項５に記載のカメラシステムにおいて、
前記照明装置は、前記予備発光時の色温度と合わせるように前記撮影時の照明光の色温度を制御することを特徴とするカメラシステム。
【請求項７】
請求項４〜６のいずれか一項に記載のカメラシステムにおいて、
前記色温度制御手段は、照明光の色温度を手動設定するマニュアル設定モードに設定されているときには、前記予備発光時の照明光の色温度を、前記手動設定された色温度に制御することを特徴とするカメラシステム。
【発明の詳細な説明】
【技術分野】
【０００１】
本発明は、カメラ、カメラシステムに関する。
【背景技術】
【０００２】
閃光装置を用いた撮影の際、撮影時の本発光に先立って予備発光を行い、予備発光時における被写体からの反射光量に基づいて本発光時の光量を決める技術が知られている（特許文献１参照）。また、閃光装置が発する照明光の色温度を外光の色温度に応じて制御する技術が知られている（特許文献２）。
【０００３】
【特許文献１】特開２００５−１７３２５４号公報
【特許文献２】特開２００３−１５１７９号公報
【発明の開示】
【発明が解決しようとする課題】
【０００４】
一般に、被写体の反射率や、被写体からの反射光量を検出するセンサの受光感度は、それぞれが光の波長よって異なる波長依存性を有する。このため、予備発光時の色温度が不適切な場合には、予備発光時における被写体からの反射光量に基づいて本発光時の光量を正しく求めることが困難である。また、予備発光時の発光量自体も、その予備発光の色温度が変化すると大きく変化するものであり、この色温度の違いに基づく発光量の違いも、本発光時の光量を正しく求める上で大きな問題となるものである。
【課題を解決するための手段】
【０００５】
本発明は以下のような解決手段により前述の課題を解決する。ここでは理解を容易にするために、本発明の実施形態に対応する符号を付して説明するが、本発明の各構成要件は、この符号の実施形態に限定されるものではない。
（１）本発明によるカメラは、照明光を発する発光体（１９）と、照明光を用いて撮影を行う際に、予備発光時における被写体からの反射光量に基づいて撮影時の照明光の発光量を制御する発光量制御手段（１０、１８）と、外光の色情報に基づいて、予備発光時の照明光の色温度を制御する色温度制御手段（１０、１８）とを備えることを特徴とする。
（２）請求項１に記載のカメラにおいて、色温度制御手段はさらに、予備発光時の色温度と合わせるように撮影時の照明光の色温度を制御することが好ましい。
（３）請求項１または２に記載のカメラにおいて、色温度制御手段は、照明光の色温度を手動設定するマニュアル設定モードに設定されているときには、予備発光時の照明光の色温度を、手動設定された色温度に制御することもできる。
（４）本発明によるカメラシステムは、照明光を発する発光体、および照明光の色温度を制御する色温度制御手段を有する照明装置と、照明光を用いて撮影を行う際に、予備発光時における被写体からの反射光量に基づいて撮影時の照明光の発光量を演算する第１演算手段、外光の色情報に基づいて、予備発光時の照明光の色温度を演算する第２演算手段、および第１演算手段および第２演算手段による演算結果を照明装置へ送信する送信手段を有するカメラとを備えることを特徴とする。
（５）請求項４に記載のカメラシステムにおいて、照明装置は、予備発光時の照明光の色温度をカメラから送信された色温度に制御することが好ましい。
（６）請求項５に記載のカメラシステムにおいて、照明装置は、予備発光時の色温度と合わせるように撮影時の照明光の色温度を制御することが好ましい。
（７）請求項４〜６のいずれか一項に記載のカメラシステムにおいて、色温度制御手段は、照明光の色温度を手動設定するマニュアル設定モードに設定されているときには、予備発光時の照明光の色温度を、手動設定された色温度に制御することもできる。
【発明の効果】
【０００６】
本発明によれば、予備発光時における被写体からの反射光量に基づいて本発光時の光量を適切に求めることができる。
【発明を実施するための最良の形態】
【０００７】
以下、図面を参照して本発明を実施するための最良の形態について説明する。図１は、本発明の一実施の形態による一眼レフカメラシステムの要部構成を説明する図である。図１において、カメラ本体１に対して着脱可能な照明装置１７および交換レンズ２が装着されている。
【０００８】
交換レンズ２に入射された被写体からの光は、レンズ群３および絞り（不図示）を介してカメラ本体１へ入射される。カメラ本体１に入射した被写体光は、レリーズ前は実線で示すように位置するクイックリターンミラー（以下メインミラーと呼ぶ）５で上方のファインダ部へ導かれて拡散スクリーン１１に結像する。また、カメラ本体１に入射した被写体光の一部はサブミラー６で下方へ反射され、焦点検出ユニット７にも入射する。焦点検出ユニット７は、公知の位相差検出方式のＡＦセンサを備えており、交換レンズ２による焦点調節状態を検出する焦点検出時に用いられる。
【０００９】
拡散スクリーン１１に結像した被写体光はさらに、コンデンサレンズ１２を介してペンタプリズム１３へ入射する。ペンタプリズム１３は、入射された被写体光を接眼レンズ１４へ導く一方、その一部を再結像レンズ１５へも導く。再結像レンズ１５は、測光センサ１６上に被写体像を結像する。測光センサ１６は、被写体像の明るさに応じた測光処理用の画像信号を出力する。測光センサ１６は、たとえばカラーフィルタを介して入射光を受光するＣＣＤイメージセンサなどによって構成される。測光センサ１６で得られた画像信号からは、輝度情報の他に色情報（環境光の色情報）を取得することも可能である。
【００１０】
レリーズ後はメインミラー５が破線で示される位置へ回動し、被写体光はフォーカルプレーンシャッター８を介して撮像センサ９へ導かれて撮像面上に被写体像を結像する。撮像センサ９は、画素に対応する複数の光電変換素子を備えたＣＣＤイメージセンサなどによって構成される。撮像センサ９は、撮像面上に結像されている被写体像を撮像し、被写体像の明るさに応じた撮影用の画像信号を出力する。この画像信号は、後述する画像生成部１０９（図２）で所定の画像処理を経た後、後述する記録部１１０（図２）によって記録媒体に記録される。
【００１１】
マイクロコンピュータ（以下マイコンと呼ぶ）１０は、測光センサ１６からの画像信号を用いて所定の露出演算を行う。マイコン１０は、レリーズ操作時に露出演算結果に基づいてフォーカルプレーンシャッター８および交換レンズ２内に設けられている絞り（不図示）を制御するとともに、撮像センサ９による撮像動作を制御する。マイコン１０はさらに、照明装置１７との間で通信を行う通信回路を内蔵する。マイコン１０は、測光センサ１６で取得された環境光の色情報に基づいて必要な照明光の色温度を決定し、決定した色温度の照明光を発するように照明装置１７へ発光色制御信号を送信する。
【００１２】
なお、本実施形態では、発光色制御信号をカメラ本体１側から照明装置１７側へ送信するようにしているが、カメラ本体１側から環境光の色温度情報を受け取った照明装置１７内の照明制御回路１８が照明光の色温度を決定するようにしてもよい。
【００１３】
マイコン１０はさらに、焦点検出ユニット７で検出された焦点調節状態に応じてレンズ駆動モータ４へ制御信号を送り、レンズ群３に含まれるフォーカス調節レンズを光軸方向に進退移動させる。駆動モータ４の回転方向および回転量（フォーカス調節レンズの移動方向および移動量）は、焦点検出ユニット７からの検出信号に基づいて決定する。これにより、主要被写体に対するフォーカス調節が自動で行われる（ＡＦ処理）。
【００１４】
照明装置１７の発光体１９は、たとえば、赤色ＬＥＤ１９ａ、緑色ＬＥＤ１９ｂ、および青色ＬＥＤ１９ｃによって構成される。照明制御回路１８は、カメラ本体１から送信される発光指示および発光制御信号に応じてＬＥＤ１９ａ、１９ｂ、１９ｃへそれぞれ電流を供給し、各ＬＥＤを発光させる。発光制御信号は、ＬＥＤ１９ａ、１９ｂ、１９ｃの発光強度比（すなわち照明装置１７による照明光の色温度）を指示する発光色制御信号、およびＬＥＤ１９ａ、１９ｂ、１９ｃによる発光量を指示する発光量制御信号を含む。ＬＥＤ１９ａ、１９ｂ、１９ｃの発光量は、それぞれのＬＥＤへ供給する電流を増減することによって変更する。ＬＥＤ１９ａ、１９ｂ、１９ｃの発光強度比は、各ＬＥＤへ供給する電流比を変えることによって変更する。発光体１９からの光は、発光体１９を囲むように設けられた反射板２０の開口から図の左方向へ射出される。
【００１５】
図２は、上述したカメラシステムの機能ブロック図である。図２において、第２撮像センサ１０２は測光センサ１６（図１）に対応する。第１撮像センサ１０８は撮像センサ９（図１）に対応する。照明ユニット１０５は照明装置１７（図１）に対応する。第２撮像センサ制御部１０１、色温度演算部１０３、照明制御部１０４、露出演算部１０６、撮像制御部１０７、および画像生成部１０９は、それぞれマイコン１０（図１）が対応する。なお、記録部１１０は図１において不図示である。
【００１６】
本実施形態によるカメラシステムは、照明装置１７に予備発光させる撮影動作に特徴を有するので、この撮影処理を中心に説明する。予備発光は、撮影時に必要な照明光量（本発光量）を決めるため、撮影前に照明装置１７を小光量で発光させるものである。カメラシステムは、予備発光時における被写体からの反射光量に基づいて撮影時に必要な本発光量を決める。
【００１７】
マイコン１０が行う撮影処理の流れについて、図３のフローチャートを参照して説明する。マイコン１０は、不図示のレリーズボタンが半押し操作されたことを示す半押し操作信号が入力されると、図３による処理を行うプログラムを起動する。なお、不図示ではあるが、このプログラム起動時に焦点検出ユニット７で検出した出力に基づいてＡＦ処理が行われる。
【００１８】
図３のステップＳ２０１において、マイコン１０（第２撮像センサ制御部１０１）は、第２撮像センサ１０２に被写界の画像データを取得（撮像）させてステップＳ２０２へ進む。ステップＳ２０２において、マイコン１０（色温度演算部１０３）は、第２撮像センサ１０２が取得した画像信号に基づいて環境光の色温度情報を算出する。また、マイコン１０（露出演算部１０６）は、上記画像信号に基づいて被写界の輝度情報を算出し、ステップＳ２０３へ進む。
【００１９】
ステップＳ２０３において、マイコン１０はレリーズ操作（すなわちレリーズボタンの全押し操作）されたか否かを判定する。マイコン１０は、不図示のレリーズボタンが全押し操作されたことを示す全押し操作信号が入力されると、ステップＳ２０３を肯定判定してステップＳ２０４へ進む。全押し操作は、レリーズボタンが半押し操作時より深く押し下げされる操作態様をいう。一方、マイコン１０は、上記全押し操作信号が入力されない場合にはステップＳ２０３を否定判定し、ステップＳ２０１へ戻る。ステップＳ２０１へ戻る場合はステップＳ２０１−Ｓ２０３の処理を繰り返す。
【００２０】
ステップＳ２０４において、マイコン１０（露出演算部１０６）は、照明ユニット１０５の発光要否を判定する。マイコン１０（露出演算部１０６）は、照明ユニット１０５の発光が許可されており、かつステップＳ２０２で算出した輝度情報に基づいて発光が必要と判断した場合にステップＳ２０４を肯定判定してステップＳ２０５へ進む。マイコン１０（露出演算部１０６）は、照明ユニット１０５の発光が禁止されている場合、あるいは照明ユニット１０５の発光が許可されているもののステップＳ２０２で算出した輝度情報に基づいて発光不要と判断した場合には、ステップＳ２０４を否定判定してステップＳ２１１へ進む。なお、ここで判定する対象は、本発光についての発光要否である。
【００２１】
ステップＳ２０５において、マイコン１０（照明制御部１０４）は、ステップＳ２０２で算出した色温度情報と略等しい色温度の光を発して予備発光するように照明ユニット１０５を制御してステップＳ２０６へ進む。これにより、照明ユニット１０５が本発光時より小さい光量で、かつ環境光の色温度と略等しい色温度で予備発光する。
【００２２】
ステップＳ２０６において、マイコン１０（第２撮像センサ制御部１０１）は、第２撮像センサ１０２に予備発光中の被写界の画像データを取得（撮像）させてステップＳ２０７へ進む。ステップＳ２０７において、マイコン１０（露出演算部１０６）は、予備発光中の被写界の輝度情報を算出し、この輝度情報からレリーズ操作直前のステップＳ２０２において算出した輝度情報を差し引いて予備発光の反射光量を求める。そして、予備発光の反射光量に基づき、撮影時に必要な照明ユニット１０５の本発光量を決定（算出）する。マイコン１０（露出演算部１０６）はさらに、予備発光の反射光量に基づき、撮影時の露光条件を演算してステップＳ２０８へ進む。具体的には、適正露出が得られるようにシャッター秒時、絞り値およびＩＳＯ感度を決める。
【００２３】
ステップＳ２０８において、マイコン１０（照明制御部１０４）は、予備発光時の上記色温度情報と略等しい色温度で、上記本発光量の光を発するように照明ユニット１０５を制御してステップＳ２０９へ進む。これにより、照明ユニット１０５が次ステップ（Ｓ２０９）の撮影時に、上記ステップＳ２０７で算出された本発光量で、かつ予備発光時の色温度と略等しい色温度で発光する。なお、略等しい色温度とは、色温度が完全に一致する状態は当然ながら、色温度が若干異なっている場合であっても含まれる概念である。要は、予備発光時の色温度と本発光時の色温度との相違が、前述したステップＳ２０７において算出される本発光量に誤差を生じない程度の色温度の相違であれば、その色温度差は許容されうるものである。
【００２４】
ステップＳ２０９において、マイコン１０（撮像制御部１０７）はメインミラー５の回動指示を行い、第１撮像センサ１０８に撮影時の露光条件で被写界の画像データを取得（撮像）させてステップＳ２１０へ進む。ステップＳ２１０において、マイコン１０（画像生成部１０９）は、ステップＳ２０２で算出した色温度情報に基づいて、第１撮像センサ１０８が取得した画像信号にホワイトバランス処理を行ってステップＳ２１１へ進む。
【００２５】
ステップＳ２１１において、マイコン１０は記録部１１０（図２）に指示を送り、ホワイトバランス処理後の画像データを記録媒体に記録させて図３による処理を終了する。
【００２６】
上述したＳ２０４を否定判定して進むステップＳ２１２において、マイコン１０（露出演算部１０６）は、レリーズ操作直前のステップＳ２０２において算出した輝度情報に基づき、撮影時の露光条件を演算してステップＳ２０９へ進む。具体的には、適正露出が得られるようにシャッター秒時、絞り値およびＩＳＯ感度を決める。この場合は、次ステップ（Ｓ２０９）において照明ユニット１０５を発光させないで撮影を行う。
【００２７】
以上説明した実施形態によれば、次の作用効果が得られる。
（１）照明装置１７からの照明光を外光（環境光）に対する補助光として使用する、いわゆる補助光撮影において、撮影時に必要な本発光量を決めるために照明装置１７を予備発光させる際に、予備発光光の色温度を環境光の色温度情報を用いて制御するようにした。環境光の色温度情報を用いて制御することで、予備発光の色温度を環境光の色温度に近づければ、予備発光の色温度を制御しない場合に比べて適切な本発光量を決定できる。
【００２８】
（２）本発光光の色温度を予備発光光の色温度と揃えるように制御したので、予備発光と本発光とで色温度が略等しくなる。これにより、予備発光と本発光とで色温度が異なる場合に比べて、撮影された画像に光量オーバーや光量アンダーが生じるおそれを低減できる。
【００２９】
（変形例１）
以上の説明では、カメラ本体１のアクセサリシュー等に装着するタイプの照明装置１７を例に説明したが、発光体１９および照明制御回路１８を有する照明ユニットをカメラ内に内蔵するタイプとして構成しても（すなわち、カメラ内蔵の照明装置に適用しても）構わない。
【００３０】
（変形例２）
カメラ本体１として、第１撮像センサ１０８（撮像センサ９）で撮像を行う電子カメラを例に説明した。この代わりに、フィルムなどの感光部材で撮像を行う銀塩カメラにも本発明を適用してよい。銀塩カメラの場合には、ステップＳ２１０−Ｓ２１１の処理は不要である。
【００３１】
（変形例３）
本発明は、一眼レフタイプでない電子カメラに適用しても、あるいは撮影レンズが交換不能なカメラ（レンズ一体型カメラ）に適用しても構わない。この場合には、撮影用の撮像センサ９を測光用センサとしても用いる。すなわち、撮像センサ９によって取得した画像データに基づいて、被写界の輝度情報や色温度情報を算出する（ステップＳ２０２、Ｓ２０７）。特に、撮像センサ９で撮像した画像を、カメラ本体１の背面（図１のカメラ本体１の右側）に設けられた不図示の表示部（ＬＣＤ等）にリアルタイムで表示するライブビューモードにカメラが設定されているときには、ライブビュー中に撮像センサ９で撮像した信号に基づいて、色温度情報を算出するのが望ましい。このようにした場合には、色温度を得るためのセンサと実際の撮像に用いるセンサとが同じであるため、センサ間の受光感度の相違の影響を考慮する必要がなくなるという利点がある。
【００３２】
（変形例４）
上記実施形態では、照明装置の発光体としてのＬＥＤを用いるようにしたが、他の光源を使うようにしてもよい。たとえば、発光体として従来周知のキセノン管等を用いるようにしてもよい。この場合の照明装置１７は、図４に例示するような構成を採用するのが好ましい。以下、図４について説明する。なお、図１と同じ構成については同一の符号を付して説明を省略する。図４(A)が図１と異なる点は、発光体１９’がキセノン管であり、そのキセノン管１９’の前方には色フィルタ２１および色フィルタを切換え駆動するための駆動機構２２が設けられている点である。測光用センサ１６または撮像センサ９の出力に基づいて算出された色温度情報に基づいて、照明制御回路１８は駆動機構２２を駆動して、キセノン管１９’の前方に配置される色フィルタ２１を切換える。色フィルタ２１は、複数の色のフィルタ２１ａ〜２１ｃがロール状に一体成形されているフィルタであり（図４(B)参照）、フィルムカメラのフィルムを巻き取るスプール構造と同様の構造（巻上げ、巻戻しの２つのスプール構造）によってキセノン管１９’の前に配置される色フィルタを選択的に切換えられるようになっている。あるいは図４(C)に示すように、キセノン管１９’の前に電気的に色可変のフィルタ（液晶パネル等）２５を設けておき、この色可変フィルタ２５の色を電気的に制御する構成にしてもよい。
【００３３】
（変形例５）
上記実施形態では、照明装置から発光される光の色温度を制御する方法として、赤色ＬＥＤ、青色ＬＥＤ、緑色ＬＥＤそれぞれの発光強度比を、各ＬＥＤへ供給する電流比を変えることで可変としている。そして上記実施形態では、この電流比を各色ＬＥＤに流す電流量（電流値）を増減することで可変としている。
しかしながら複数色のＬＥＤを用いて発光色温度を制御する方法としては、このような電流値の制御のみならず、他の方法を採用してもよい。たとえば、超高速シャッタ秒時を用いた撮影でさえなければ（通常のストロボ同調秒時以上のシャッタ秒時での撮影であれば）、各色ＬＥＤに流す電流値は同じであっても、ＬＥＤ毎の駆動（発光）デューティを変えることによって、色温度を変えることができる。各色ＬＥＤ毎の駆動デューティを独立設定可能としておけば、その設定された駆動デューティで発光される各色ＬＥＤの光量比を、撮影時のシャッタ秒時中（撮影期間中）全体として見れば、所望の光量比に制御できる。
【００３４】
（変形例６）
上記実施形態では、カメラ本体内部に設置された測光センサ１６（第２撮像センサ１０２）の測光（測色）結果を用いて、照明装置１７の予備発光時および本発光時の照明光の色温度を自動的に設定するように構成している。しかしながら次のような変形例も考えられる。カメラ内に、使用者が、照明装置１７の発光時（予備発光時および本発光時）の照明光の色温度を任意の色温度に手動設定できるマニュアル設定モードを設けておき、そのマニュアル設定モードにモード設定されているときには、外光に応じた色温度制御ではなく、使用者が手動設定した色温度に照明光の色温度を制御する。なお、この変形例においても、手動設定された色温度は予備発光時と本発光時とで同じ色温度に制御する。この変形例の場合の調光制御に使用する測光センサ（以下「調光用センサ」と称す）としては、必ずしも上述したような色温度を測定可能な測光センサを用いる必要はなく、輝度測定を行える測光センサであればよい。そしてその調光用センサを用いて予備発光を測光し、その測光結果に基づいて本発光量を求める点は上記実施形態と同様である。以下にこの変形例の動作を、図３を用いて相違点のみ説明する。
【００３５】
図３と相違する点は、ステップＳ２０２では輝度のみを検出し、ステップＳ２０５では使用者に手動設定された色温度で予備発光させ、ステップＳ２０６では調光用センサで予備発光時の測光を行う点である。それ以外の動作は図３の場合と同様である。なお、調光用センサは、カメラ本体側に設けても、照明装置側に設けてもよい。
【００３６】
この変形例のように、発光時の色温度を任意に手動設定するものであっても、予備発光時と本発光時との色温度を同じ色温度に制御することによって、色温度の違いに起因する発光部の発光特性の変動分を考慮する必要がなくなり、適正な本発光量を容易に算出することができる。また、照明光の色温度を任意の色温度に手動設定できるようにしておくことにより、使用者の作画の自由度が増す。たとえば、周囲光（外光）の照明環境とはあえて異なる照明光を発光させることで（たとえば、青っぽい光を発する蛍光灯（周囲光）の下で、照明装置に赤っぽい光（照明光）を照射させることで）、独創的（芸術的）な画像を得ることができる。
【００３７】
（変形例７）
上記実施形態（図３）では、露光量演算をステップＳ２０７またはステップＳ２１２で行うようにしているが、露光量演算は、Ｓ２０２での測光動作の後であれば、ステップＳ２０７やステップＳ２１２よりも前のタイミングで行うようにしてもよい。たとえばステップＳ２０２で輝度を測定した直後（ステップＳ２０２とステップＳ２０３の間のタイミング）に、露光量演算を行うようにしてもよい。
【００３８】
（変形例８）
上記実施形態では、カメラ側に設けられた測光センサ１６で測定した色温度情報をカメラから照明装置へ送信するように構成しているが、この測光センサ１６と同様に色温度を測定可能な測光センサを照明装置側へ設けておくようにしてもよい。この場合には、照明制御回路１８は、この照明装置内の測光センサの測光（測色）結果に基づいて予備発光時（および本発光時）の色温度を制御するとともに、この色温度の情報を、カメラ側のマイコン１０にて行われるホワイトバランス制御のために、マイコン１０へ送信する。
【００３９】
以上の説明はあくまで一例であり、上記の実施形態の構成に何ら限定されるものではない。
【図面の簡単な説明】
【００４０】
【図１】本発明の一実施の形態による一眼レフカメラシステムを説明する図である。
【図２】カメラシステムの機能ブロック図である。
【図３】マイコンが行う撮影処理の流れを説明するフローチャートである。
【図４】(A)本発明の他の実施形態を説明する構成図、(B)色フィルタの構成を示す図、(C)色可変フィルタの色を電気的に制御する構成を示す図である。
【符号の説明】
【００４１】
１…カメラ本体
９…撮像センサ
１０…マイコン
１６…測光センサ
１７…照明装置
１８…照明制御回路
１９…ＬＥＤ
【図１】
0005071233.tif 000002
【図２】
0005071233.tif 000003
【図３】
0005071233.tif 000004
【図４】
0005071233.tif 000005